(57)【特許請求の範囲】
【請求項１】
計量機による給油作業を作業員が行い、給油料金の精算作業を顧客自身が行うセミサービスの給油エリアと、計量機による給油作業、給油料金の精算作業、及びカーチェック作業を作業員が行うフルサービスの給油エリアと、精算管理機による精算作業を行う精算エリアを設け、前記セミサービスの給油エリアに設置されている計量機の給油状態を表示するものとして、給油開始で点灯し、給油停止で点滅し、給油終了で消灯する表示器が設けられ、前記フルサービスの給油エリアに設置されている計量機に隣接して、タイヤのエアー供給用のエアーフレータと、ラジエター液供給具と、灰皿を洗う灰皿クリーナが設けられ、棚には窓拭き用のタオル、エンジンオイル、及び各種ケミカルが並べられ、各種のサービスが行われた後に押されるチェック済み釦が設けられているサービスユニットが設けられ、このサービスユニットに設けられているチェック済み釦の信号を受けて計量機は給油終了を出力することを特徴とした給油所。
【発明の詳細な説明】
【０００１】
【発明の属する技術分野】
本発明は、自動車へ燃料油を供給する給油所の改良に関する。
【０００２】
【従来の技術】
給油所で行われる作業には、計量機から自動車へ給油を行う給油作業、給油料金を精算する精算作業、窓拭き、タイヤ空気圧のチェック、及びエンジンオイルのチェック等のカーチェック作業がある。また、給油所の形態には、給油作業、精算作業、及びカーチェック作業の全てを作業員が行うフルサービスと、給油作業だけを作業員が行い、精算作業及びカーチェック作業を顧客自身が行うセミサービスと、給油作業、精算作業、及びカーチェック作業の全てを顧客自身が行うセルフサービスがある。
【０００３】
フルサービスの給油所は、作業員が全ての作業をするので、給油作業及び車走行の安全が確保されるが、これらの作業のコストが加算されて給油料金が高くなる不都合がある。そして、セミサービスの給油所は、作業員が給油作業をし、顧客自身が精算作業及びカーチェック作業をするので、給油作業の安全が確保でき、給油料金を比較的に安くできるが、車走行の安全が確保し難い不都合がある。また、セルフサービスの給油所は、顧客自身が全ての作業をするので、給油料金を安くできるが、給油作業及び車走行の安全が確保し難くなる不都合がある。
【０００４】
【発明が解決しようとする課題】
本発明の目的は前記従来例の不都合を解消し、給油作業及び車走行の安全が確保でき、しかも給油料金を比較的に安くできる給油所を提供することにある。
【０００５】
【課題を解決するための手段】
本発明は前記目的を達成するため、計量機による給油作業を作業員が行い、給油料金の精算作業を顧客自身が行うセミサービスの給油エリアと、計量機による給油作業、給油料金の精算作業、及びカーチェック作業を作業員が行うフルサービスの給油エリアと、精算管理機による精算作業を行う精算エリアを設け、前記セミサービスの給油エリアに設置されている計量機の給油状態を表示するものとして、給油開始で点灯し、給油停止で点滅し、給油終了で消灯する表示器が設けられ、前記フルサービスの給油エリアに設置されている計量機に隣接して、タイヤのエアー供給用のエアーフレータと、ラジエター液供給具と、灰皿を洗う灰皿クリーナが設けられ、棚には窓拭き用のタオル、エンジンオイル、及び各種ケミカルが並べられ、各種のサービスが行われた後に押されるチェック済み釦が設けられているサービスユニットが設けられ、このサービスユニットに設けられているチェック済み釦の信号を受けて計量機は給油終了を出力することを要旨とするものである。
【０００６】
本発明によれば、計量機による給油作業を作業員が行い、給油料金の精算作業を顧客自身が行うセミサービスの給油エリアと、計量機による給油作業、給油料金の精算作業、及びカーチェック作業を作業員が行うフルサービスの給油エリアと、精算管理機による精算作業を行う精算エリアを設けているので、通常はセミサービスの給油エリアで給油をし、例えば５回に１回又は車の調子に疑問を感じたときにフルサービスの給油エリアで給油をすることにより、給油作業及び車走行の安全が確保でき、しかも給油料金が比較的に安くできる給油所となる。
【０００７】
そして、前記セミサービスの給油エリアに設置されている計量機の給油状態を表示する表示器が設けられ、この表示器は給油開始で点灯し、給油停止で点滅し、給油終了で消灯するので、作業員は給油作業の進行状態を的確に把握でき、複数台の計量機を少ない作業員で管理して、給油料金を安くすることができる。
【０００８】
また、前記フルサービスの給油エリアに設置されている計量機に隣接してサービスユニットが設けられ、このサービスユニットに設けられているチェック済み釦の信号を受けて計量機は給油終了を出力するので、カーチェック作業が確実に行われるようになる。
【０００９】
【発明の実施の形態】
以下、本発明の実施の形態を説明する。図１に示すように、自動車に燃料油を給油する給油所は、作業員が給油作業をし、顧客自身が精算作業及びカーチェック作業をするセミサービスの給油エリアＡと、作業員が給油作業、精算作業、及びカーチェック作業の全てを行うフルサービスの給油エリアＢと、料金の精算を行う精算エリアＣで構成されている。
【００１０】
セミサービスの給油エリアＡに設けられたアイランド１には、計量機２が設けられ、計量機２の上には回転表示器３が取り付けられている。フルサービスの給油エリアＢに設けられたアイランド４には、計量機５とサービスユニット６が設けられている。建屋７内に設けられた精算エリアＣには、精算管理機８が設けられ、建屋７の外壁等のように各アイランド１、４から見える位置に給油状態表示器９が設けられている。そして、上述した各機器２、３、５、６、８、９は、後述する信号線１０で接続されている。
【００１１】
図２に示すように、セミサービスの給油エリアＡのアイランド１に設けられた計量機２には、レギュラガソリンとハイオクガソリンと軽油の３油種の給油系統が組み込まれ、ハウジング２ａには、各油種の給油系統の給油ノズル２ｂを掛けるノズル掛け２ｃと、給油量表示器２ｄが設けられている。そして、給油制御部２ｅは、信号線１０を介して信号の授受を行うようになっている。
【００１２】
建屋７内の精算エリアＣに設けられた精算管理機８には、各種データを表示する表示器８ａと、入力用のキーボード８ｂと、給油伝票を発行するプリンタ８ｃが設けられている。そして、精算制御部８ｄは、信号線１０を介して信号の授受を行うようになっている。
【００１３】
建屋７の外壁等に設けられている給油状態表示器９には、計量機番号９ａに対応して状態ランプ９ｂ及び精算ランプ９ｃが設けられている。そして、表示制御部９ｄは、信号線１０を介して信号の授受を行うようになっている。
【００１４】
図３に示すように、フルサービスの給油エリアＢのアイランド４に設けられた計量機５には、セミサービスの給油エリアＡの計量機２と同様に、レギュラガソリンとハイオクガソリンと軽油の３油種の給油系統が組み込まれ、ハウジング５ａには、各油種の給油系統の給油ノズル５ｂを掛けるノズル掛け５ｃと、給油量表示器５ｄが設けられている。そして、給油制御部５ｅは、信号線１０を介して信号の授受を行うようになっている。
【００１５】
また、計量機５に隣接して設けられたサービスユニット６には、タイヤのエアー供給用のエアーフレータ６ａと、ラジエター液供給具６ｂと、灰皿を洗う灰皿クリーナ６ｃ等が設けられ、棚６ｄには窓拭き用のタオル、エンジンオイル、及び各種ケミカルが並べられている。そして、各種のサービスが行われた後に押されるチェック済み釦６ｅが設けられている。
【００１６】
次に図４、５のフロー図に基づいて、セミサービスの給油エリアＡで給油をする場合の動作を説明する。計量機２の前に自動車がいないときは、給油状態表示器９の状態ランプ９ｂ及び精算ランプ９ｃ、及び回転表示器３は消灯している。
【００１７】
給油に来た顧客は、このように空いている計量機２の前に停車する。顧客の自動車が停車したのを見て、作業員は計量機２のところへ行き、顧客が要望した油種の給油ノズル２ｂをノズル掛け２ｃから外し、給油ノズル２ｂを自動車の給油口へ挿入して給油をする。
【００１８】
一方、給油ノズル２ｂがノズル掛け２ｃから外されて給油開始となると（図４  ＳＴ１）、給油制御部２ｅは給油量表示器２ｄに表示されていた前回の給油量表示を帰零し、信号線１０を介して給油開始信号を出力する（図４  ＳＴ２）。この給油開始信号を受けた精算管理機８の精算制御部８ｄは（図５  ＳＴ１）、当該計量機２の給油データの管理を開始し（図５  ＳＴ２）、給油状態表示器９の表示制御部９ｄは、当該計量機２の状態ランプ９ｂを点灯する。
【００１９】
そして、給油量は給油量表示器２ｄに表示され、満タンまで給油されて給油が停止すると（図４  ＳＴ３）、給油制御部２ｅは信号線１０を介して給油停止信号を出力する（図４  Ｔ４）。この給油停止信号を受けた給油状態表示器９の表示制御部９ｄは、当該計量機２の状態ランプ９ｂを点滅し、回転表示器３は駆動する。
【００２０】
作業員は状態ランプ９ｂの点滅又は回転表示器３の駆動を見て、計量機２の所へ行き、給油ノズル２ｂを給油口から抜いてノズル掛け２ｃに掛ける。給油ノズル２ｂがノズル掛け２ｃに掛けられて給油終了となると（図４  ＳＴ５）、給油制御部２ｅは信号線１０を介して給油終了信号を出力する（図４  ＳＴ６）。この給油終了信号を受けた精算管理機８は（図５  ＳＴ３）、表示器８ａに当該計量機２の精算待ちを表示する（図５  ＳＴ４）。また、給油状態表示器９の表示制御部９ｄは、状態ランプ９ｂを消灯して精算ランプ９ｃを点滅し、回転表示器３は駆動を停止する。
【００２１】
このようにして給油が終了したならば、顧客は建屋７内の精算エリアＣへ行き給油料金の精算をする。事務員が精算管理機８のキーボード８ｂの精算釦を押すと（図５  ＳＴ５）、プリンタ８ｃより給油伝票が発行され、信号線１０を介して精算終了信号を出力し、この計量機２の給油データの管理を終了する（図５  ＳＴ６）。
【００２２】
精算終了信号を受けた給油状態表示器９の表示制御部９ｄは、精算ランプ９ｃを消灯する。
【００２３】
このように給油が停止すると給油状態表示器９の状態ランプ９ｂが点滅し、回転表示器３が駆動するので、作業員は給油作業の進行状態を的確に把握でき、複数台の計量機を少ない作業員で管理して、給油料金を安くすることができるようになる。また、精算が終わるまでは、給油状態表示９の精算ランプ９ｃが点滅し続けるので、精算をしないで出車されることが防止できる。
【００２４】
次に図５、６のフロー図に基づいて、フルサービスの給油エリアＢで給油をする場合の動作を説明する。カーチェック作業を受けたい顧客は、フルサービスの給油エリアＢの計量機５の前に停車する。そして、作業員は顧客が要望した油種の給油ノズル５ｂをノズル掛け５ｃから外し、給油ノズル５ｂを自動車の給油口へ挿入して給油をする。
【００２５】
給油ノズル５ｂがノズル掛け５ｃから外されて給油開始となると（図６  ＳＴ１）、給油制御部５ｅは給油量表示器５ｄに表示されていた前回の給油量表示を帰零し、信号線１０を介して給油開始信号を出力する（図６  ＳＴ２）。この給油開始信号を受けた精算管理機８の精算制御部８ｄは（図５  ＳＴ１）、当該計量機５の給油データの管理を開始する（図５  ＳＴ２）。そして、給油量は給油量表示器５ｄに表示され、給油が終わったならば、作業員は給油ノズル５ｂを給油口から抜いてノズル掛け５ｃに掛けて給油終了となる。
【００２６】
一方、給油中及び給油終了後に作業員は、サービスユニット６の棚６ｄのタオルで自動車の窓を拭き、灰皿クリーナ６ｃで灰皿を洗う等のサービスをする。そしてさらに、タイヤの空気圧のチェック、ラジエター液のチェック、エンジンオイルのチェックをし、不足している場合はエアーフレータ６ａでタイヤのエアーを補給し、ラジエター液供給具６ｂでラジエター液を補充し、棚６ｄのオイル缶のオイルをオイルパンへ補充する。
【００２７】
これらのサービス作業が終わった後にチェック済み釦６ｅを押すと（図６  ＳＴ３）、既に給油終了となっているので（図６  ＳＴ４）、給油制御部５ｅは信号線１０を介して給油終了信号を出力する（図６  ＳＴ５）。この給油終了信号を受けた精算管理機８は（図５  ＳＴ３）、表示器８ａに当該計量機５の精算待ちを表示する（図５  ＳＴ４）。
【００２８】
このようにして給油及びカーチェック作業が終了したならば、作業員は顧客から給油料金を預かり建屋７内の精算エリアＣへ行き給油料金の精算をする。事務員が精算管理機８のキーボード８ｂの精算釦を押すと（図５  ＳＴ５）、プリンタ８ｃより給油伝票が発行され、信号線１０を介して精算終了信号を出力し、この計量機５の給油データの管理を終了する（図５  ＳＴ６）。そして、給油伝票と釣り銭を顧客へ渡す。
【００２９】
このように作業員が全ての給油作業及びカーチェック作業を行うので、自動車の走行安全は確保され、給油料金が少し高くても顧客は充分に満足するようになる。また、チェック済み釦６ｅを設けたので、カーチェック作業が確実に行われるようになる。
【００３０】
なお、上述した実施の形態は、全てのカーチェック作業をフルサービスの給油エリアで行うようにしているが、オイル交換やタイヤ交換等のように時間の掛かる作業は別の場所で行うようにしても良い。この場合に、フルサービスの給油エリアでサービス券などを渡すことにより、セミサービスの給油エリアで給油した顧客との差別化を図ることができる。
【００３１】
【発明の効果】
以上説明したように本発明の給油所は、給油作業だけを作業員が行い、精算作業及びカーチェック作業を顧客自身が行うセミサービスの給油エリアと、給油作業、精算作業、及びカーチェック作業を作業員が行うフルサービスの給油エリアと、精算作業を行う精算エリアを設けている。そして、通常はセミサービスの給油エリアで給油をし、例えば５回に１回又は車の調子に疑問を感じたときにフルサービスの給油エリアで給油をすることにより、給油作業及び車走行の安全が確保でき、しかも給油料金が比較的に安くできる給油所となる。
【図面の簡単な説明】
【図１】  本発明の給油所の平面図である。
【図２】  セミサービスの給油エリアの計量機の動作を説明するための斜視図である。
【図３】  フルサービスの給油エリアの計量機の動作を説明するための斜視図である。
【図４】  セミサービスの給油エリアの計量機の動作を示すフロー図である。
【図５】  精算管理機の動作を示すフロー図である。
【図６】  フルサービスの給油エリアの計量機の動作を示すフロー図である。
【符号の説明】
Ａ  セミサービスの給油エリア
Ｂ  フルサービスの給油エリア
Ｃ  精算エリア
１、４  アイランド
２、５  計量機
２ａ、５ａ  ハウジング
２ｂ、５ｂ  給油ノズル
２ｃ、５ｃ  ノズル掛け
２ｄ、５ｄ  給油量表示器
２ｅ、５ｅ  給油制御部
３  回転表示器
６  サービスユニット
６ａ  エアーフレーター
６ｂ  ラジエター液供給具
６ｃ  灰皿クリーナ
６ｄ  棚
６ｅ  チェック済み釦
７  建屋
８  精算管理機
８ａ  表示器
８ｂ  キーボード
８ｃ  プリンタ
８ｄ  精算制御部
９  給油状態表示器
９ａ  計量機番号
９ｂ  状態ランプ
９ｃ  精算ランプ
９ｄ  表示制御部
１０  信号線
【図１】
0003997620.tif 000002
【図２】
0003997620.tif 000003
【図３】
0003997620.tif 000004
【図４】
0003997620.tif 000005
【図５】
0003997620.tif 000006
【図６】
0003997620.tif 000007